(57)【要約】      （修正有）【課題】 塩害や雨水で腐食したコンクリートに埋め込まれた既存の鉄製のドア枠を破壊せずに再使用し、納期が短縮できる取り替え工法を提供する。また既存の腐食した扉に変え防火、防音、結露防止を可能とした扉を提供する。  【解決手段】  既存のコンクリートに埋め込まれた鉄の枠組み２の状態に防錆剤３を枠組み全体に塗り、鉄枠と外気とを一度目の遮断をする。次に、ステンレス枠６を四方にかぶせ工法し、さらに、１３ａ，１３ｂ，１３ｃのコーキング材を施す事により、外気と２度目の遮断をする。扉もステンレスを使用し、焼付け塗装を施す事により、扉全体がシールドされ、さらに腐食しにくくなる。扉８を二重構造にして、タンク９ａ，９ｂを設置する。９ａ９ｂの内部を真空状態にする事により、防音、防火効果もあり、結露の発生も抑えられる。【選択図】  図１
2005120804.tif 000002
【特許請求の範囲】
【請求項１】
リフォーム時の扉枠の取替え工法である。枠は、全ての部品をステンレス（ＳＵＳ４３０，ＳＵＳ３０４）で加工しているので、塩害や雨水によるサビや腐食の進行を防止している。図−１にある扉は、取り外せるが枠組み２は、コンクリート１と一体に成っているため、とりはずせない。既存の鉄製の枠２は、腐食するので外気が触れないように防錆剤３塗る。外気より、一度目の遮断をしている。次に、新案のかぶせ枠６を既存の鉄製の枠２に被せる。アングル４ａ，４ｂは、枠２を外気に接触させない役割がある。室内部分はシールド１３ａ、１３ｃを施し、室外部分は、１３ｂ、シールドを施し、外気と二度目の遮断をしている。ゴム７を四方に張り、扉の閉開時のクッションの役割と閉まっている時は、外気の進入を防止している。腐敗物質である、既存の枠２を二重の密封によるかぶせ工法が塩害、雨水による腐食を防止している。新案の枠は、枠組の高さ、横幅の大小に関わらず加工している。枠の高さをアングル４ａ  ４ｂ、自在に加工している。幅をステンレス枠６が自在に加工できるので、既存の枠がいかなる形でも対応している枠の取替え工法である。
【請求項２】
全ての部品をステンレスで加工している。ステンレスは、熱伝達が低いことを利用し、防火、防音、結露防止の二重構造式扉。新案は、図−２の鍵穴１６、ドアノブ１２、ドアアイ１５など、ドア機能に必要な部分を避けてタンク９ａ，９ｂを配置している。タンクの配置が二列にしていることにより、補強材がいらない。各タンクの中を１０×マイナス３乗Ｐａ以内の真空にすれば、扉内で空気伝達が減少する。高温時は、防火してくれる。冷温時は、外気の温度が室内に伝達しないので、結露現象が起き難い。空気を伝達する音も防止できる扉。ステンレスは、硬質であるからスチールドアに比べ容易にドライバーなどで、貫通することができない。防犯できる扉。
【発明の詳細な説明】
【発明の詳細な説明】
【技術分野】
【０００１】請求項１に係わる、塩害や雨水により、錆びた扉と枠の取替え工法である。コンクリートに埋め込まれ既存のドア枠を破壊せずに再利用し、工期を短縮する。酸を含む空気に触れると化学反応を起し、鉄は、錆びる。新たに腐食しない様に、必要とする備品のすべてをステンレス工業番号ＳＵＳ４３０及びＳＵＳ３０４で加工する。【０００２】既存の鉄枠２に防錆剤でシールドする。その上にステンレス枠６を被せ、鉄枠が外気から触れないようにする。被せたステンレス枠と既存の枠との間に、コーキング剤１３ａ  １３ｂ  １３ｃを施し、再度、既存枠２と外気を遮断する。【０００３】枠組の高さ、横幅の大小に関わらず加工できる。枠の高さをアングル４ａ  ４ｂ、自在に加工する。幅をステンレス枠６が自在に加工できるので、既存の枠がいかなる形でも対応している。【０００４】請求項２に係わる、熱伝達の低いステンレス製、二重構造扉にすることにより、防火、防音、結露防止を可能にした。熱や音は、空気圧の上を伝導、伝達している。
ドア機能に必要部分を避けてタンク９ａ  ９ｂを設置する。タンク内を気圧１０×−３乗Ｐａの真空にすることにより扉内のタンクは、熱、音の伝達物質が少なく、高温時は、防火ドアの機能を果たす。同じく、雑音、騒音も防音することになる。【０００５】また、密封されたビルなど、風の通りのない建物は、外気と温度差があると結露現象が発生する。熱伝達の低いステンレス製、タンクを有した二重構造扉にすることにより室内温と室外温の差があっても結露現象が起きにくい。【０００６】ステンレスは、硬質であるからスチールドアに比べ容易にドライバーなどで、貫通することができない。防犯できる扉。
【背景技術】
【０００７】玄関等のドアや枠組みを塩害や雨水により、腐食した金属を取り替えるには枠組みごとコンクリートを破壊して、取り外しをしていた。工期がかかり、費用もかかった。新しい枠組みも鉄製を使用するため、防錆剤を塗るが、数年で腐食してしまった。また、塩ビ鋼板で表面をコーティングした物もあるが、完全に外気を遮断しておらず、やはり、数年で腐食していた。【０００８】枠組のすべてを取りはずすので、設計士にはじめから図面を作成して貰うことになる。製作も初めから行うので、リフォームのしにくい場所であった。螺子、備品など、鉄製を使用するため、腐食が再発してしまった。【０００９】扉は、鉄製を使用していた。軽量ドア厚み０．８ミリメートル、防火ドア厚み１．６ミリメートルが通常である。これは、工業規格で定められた規格である。ドア内部が空洞である限り、防音、防火の効果は、得られなかった、密封されたマンションなど、外気の冷温が伝達し、室内のドア面に結露現象が発生した。【００１０】従来の鉄製ドアは、ドライバーで簡単に貫通してしまい、ピッキングの犯罪の的になっていた。
【発明が解決しようとする課題】
【００１１】リフォーム時の腐食した玄関ドアの枠を取り替えることは、手間のかかる作業である。コンクリートから枠を抜き去ること。四方にコンクリートを施すこと。ペンキの色あわせ。ドアの平行、前後あわせ、歪み、枠と扉のおさまり、ちり空間など、機軸である枠を無くすと再興するのに熟練の職人が必要である。工期も２日以上費やし、住人の生活の移動も考慮すべき工事である。湾岸地域など、海に近いと塩害による腐食が激しい。雨水による腐食も避けられない。鉄製では、何回でも腐食が繰り返される。数年おきにペンキを塗り換えるか塩ビ鋼板のドアに代えるしかなかった。
【００１２】玄関ドアは、鉄製が使用されている。公共施設では、防火度の高いドアが要求される。集合住宅では、防音の問題や冬季の結露の発生による、カビの繁殖の原因となり、ドア本来の機能が十分ではない。
【課題を解決するための手段】
【００１３】塩害や雨水により、錆びた扉と枠の取替え工法である。コンクリートに埋め込まれ既存のドア枠を破壊せずに再利用し、工期を短縮する。酸を含む空気に触れると化学反応を起し、鉄は、錆びる。新たに腐食しない様に、必要とする備品のすべてをステンレス工業番号ＳＵＳ４３０及びＳＵＳ３０４で加工する。既存の鉄枠２に防錆剤でシールドする。その上にステンレス枠６を被せ、鉄枠が外気から触れないようにする。被せたステンレス枠と既存の枠との間に、コーキング剤１３ａ  １３ｂ  １３ｃを施し、再度、既存枠２と外気を遮断する。枠組の高さ、横幅の大小に関わらず加工できる。枠の高さをアングル４ａ  ４ｂ、自在に加工してある。幅をステンレス枠６が自在に加工してあるので、既存の枠がいかなる形でも対応している。
【００１４】熱伝達の低いステンレス製、二重構造扉にすることにより、防火、防音、結露防止を可能にした。熱や音は、空気圧の上を伝導、伝達している。ドア機能に必要部分を避けてタンク９ａ  ９ｂを設置する。タンク内を気圧１０×−３乗Ｐａの真空にすることにより扉内のタンクは、熱、音の伝達物質が少なく、高温時は、防火ドアの機能を果たす。同じく、雑音、騒音も防音することになる。また、密封されたビルなど、風の通りのない建物は、外気と温度差があると結露現象が発生する。熱伝達の低いステンレス製、タンクを有した二重構造扉にすることにより室内温と室外温の差があっても結露現象が起きにくい。
【００１５】ステンレスは、硬質であるからスチールドアに比べ容易にドライバーなどで、貫通することができない。防犯できる扉。
【発明を実施するための最良の形態】
【００１６】リフォーム時の扉枠の取替え工法である。枠は、全ての部品をステンレス（ＳＵＳ４３０，ＳＵＳ３０４）で加工しているので、塩害や雨水によるサビや腐食の進行を防止している。新案のかぶせ枠６を既存の鉄製の枠２に被せる。アングル４ａ，４ｂは、枠２を外気に接触させない。室内外部分はシールドを施し、外気との遮断をしている。腐敗物質である、既存の枠２を二重の密封によるかぶせ工法が塩害、雨水による腐食を防止している。新案の枠は、枠組の高さ、横幅の大小に関わらず加工している。枠の高さをアングル４ａ  ４ｂ、自在に加工している。幅をステンレス枠６が自在に加工できるので、既存の枠がいかなる形でも対応している枠の取替え工法である。
【実施例】
【００１７】コンクリートに埋め込まれた既存の鉄製の枠は、錆びる。リフォームにおいて、鉄製品を使わない。すべての部材をステンレス製で行うかぶせ工法である。枠２に防錆剤３を塗る。枠２を囲う様に室内側４ａ室外側４ｂ中央のドアの収まり部分６を被せる。枠６からステンレス製の螺子５ａ５ｂを打ち込む。枠２が外気に触れない様に、１３ａ，１３ｂ，１３ｃをシールドする。ゴム製クッション７は、扉のクッションである。既存の枠２は、さまざまな形がある。どの様な形にも対応できるよう、枠の高さをアングル４ａ、４ｂで高さを調整する。幅は、枠６を加工することにより、さまざまな形に対応している。【００１８】請求項２係わる扉である。図−３にある、タンクは、真空時の圧力に耐えるように表面に凸凹１９を施している。図−２の扉８は、正面図を二分割した、内部である。１０は補強材である。９ａ，９ｂは、タンクである。タンク内を気圧１０×−３乗Ｐａの真空にしてある。１８には、溶接孔があり、１４と溶接する。１４は、タンクを固定するものである。それを６列設けている。錠前１２，１６やドアアイ１５やポスト１７を充分機能させているドアである。
【発明の効果】
【００１９】玄関ドア用かぶせ工法は、塩害、雨水等による錆や腐食防止ができる。従来の鉄製の枠組みをそのまま使用するので施工期間が短く、建物を傷めない。既存のコンクリートに埋め込まれた鉄の枠組みを外気と遮断をすることにより、錆びにくくしている。すべての部材は、ステンレス製であるから腐食防止になる。扉もステンレスを使用し、焼付け塗装を施す事により、扉全体がシールドされ、さらに腐食しにくくなる。扉８を二重構造にして、タンクを設置する。内部を真空状態にする事により、防音、防火効果もあり、結露の発生も抑えられる扉を提供する。本体及び、枠組補強材、螺子、吊るし補強材、タップなど、全ての部品をステンレス製で加工する事により、塩害、雨水等による錆や腐食の進行を抑えられる枠組みと扉を提供する。また、ステンレスは、硬質であるのでスチールドアに比べ容易にドライバーなどで、貫通することができない。防犯ドアにも提供できる。
【図面の簡単な説明】
【図１】請求項１に係わる、リフォーム時の被せ工法の頭上図。
【図２】請求項２に係わる、扉の内部。正面の二分割図。
【図３】タンクの外観図。
【符号の説明】
１      コンクリート
２      既存の枠組み
３      防錆び剤
４ａ    ステンレス製、アングル室内側
４ｂ    ステンレス製、アングル室外側
５ａ    ステンレス製、螺子室内側
５ｂ    ステンレス製、螺子室外側
６      ステンレス製、被せ枠
７      クッションゴム
８      ステンレス製、扉
９ａ    ステンレス製、タンク１列目
９ｂ    ステンレス製、タンク２列目
１０    ステンレス製、補強材
１１    タンクの空気抜き取り口
１２    ステンレス製、扉のノブ
１３ａ  室内気遮断シールド
１３ｂ  室外気遮断シールド
１３ｃ  室内気遮断シールド
１４    ステンレス製、タンク押さえ材
１５    ステンレス製、ドアアイ
１６    ステンレス製、錠前
１７    ポスト口
１８    留め金、溶接口
１９    強度を与えた凸凹
【図１】
2005120804.tif 000003
【図２】
2005120804.tif 000004
【図３】
2005120804.tif 000005